(57)【要約】【課題】隅部の清掃性に優れる清掃具を提供すること。【解決手段】清掃ヘッドと、上記清掃ヘッドに回転可能に連結されているヘッド回転部材とを備えている清掃具であって、上記清掃ヘッドが、長手方向及び短手方向を含む平面方向と、厚さ方向とを備えている板状の形状を有するとともに、上記長手方向の両端に配置された、第１長手側面及び第２長手側面を備えており、上記清掃ヘッドが、第１長手側面に、上記長手方向に突出する突起部を備えていることを特徴とする清掃具。【選択図】図１
2020185345.tif 000002
【特許請求の範囲】
【請求項１】
清掃ヘッドと、前記清掃ヘッドに回転可能に連結されているヘッド回転部材とを備えている清掃具であって、
前記清掃ヘッドが、長手方向及び短手方向を含む平面方向と、厚さ方向とを備えている板状の形状を有するとともに、前記長手方向の両端に配置された、第１長手側面及び第２長手側面を備えており、
前記清掃ヘッドが、第１長手側面に、前記長手方向に突出する突起部を備えている、
ことを特徴とする、前記清掃具。
【請求項２】
前記清掃ヘッドが、第１長手側面の前記短手方向の両端に前記突起部を備えている、請求項１に記載の清掃具。
【請求項３】
前記突起部が、前記短手方向に突出していない、請求項１又は２に記載の清掃具。
【請求項４】
前記清掃ヘッドが、前記長手方向に沿う方向に延びているヘッド回転軸を備えている、開口部を有するヘッド回転部材連結部を備えており、前記ヘッド回転部材が、前記開口部を介して前記ヘッド回転部材連結部に回転可能に連結されており、前記ヘッド回転部材連結部の前記開口部が、第１長手側面に配置されていない、請求項１〜３のいずれか一項に記載の清掃具。
【請求項５】
前記清掃ヘッドが、前記長手方向に沿う方向に延びているヘッド回転軸を備えている、開口部を有するヘッド回転部材連結部を備えており、前記開口部が、第２長手側面に配置されている、請求項１〜４のいずれか一項に記載の清掃具。
【請求項６】
第２長手側面が、前記短手方向において、前記ヘッド回転軸により、第２長手側面第１部分と、第２長手側面第２部分とに区画されており、第２長手側面第１部分が、前記長手方向に突出する追加の突起部を備えており、
前記追加の突起部が、前記ヘッド回転部材よりも前記長手方向の外方に突出している、
請求項５に記載の清掃具。
【請求項７】
前記追加の突起部が、前記短手方向に突出していない、請求項６に記載の清掃具。
【請求項８】
第２長手側面第２部分が、突起部を備えていない、請求項６又は７に記載の清掃具。
【発明の詳細な説明】
【技術分野】
【０００１】
本開示は、清掃具に関する。
【背景技術】
【０００２】
床等の清掃面を清掃するための清掃具が知られている。
例えば、特許文献１には、清掃シートを挟み込むスリットが形成された本体と、前記本体が回動自在に支承された略コ字状に形成された支持アームと、前記支持アームの端部が自在継手を介して連結されたハンドルと、が備えられていることを特徴とする清掃用具が開示されている。
【先行技術文献】
【特許文献】
【０００３】
【特許文献１】実用新案登録第３１５２６３２号公報
【発明の概要】
【発明が解決しようとする課題】
【０００４】
特許文献１に記載の清掃具は、支持アームが、本体の側面に配置されているため、隅部の清掃性に劣るものであった。
従って、本開示は、隅部の清掃性に優れる清掃具を提供することを目的とする。
【課題を解決するための手段】
【０００５】
本開示者らは、清掃ヘッドと、上記清掃ヘッドに回転可能に連結されているヘッド回転部材とを備えている清掃具であって、上記清掃ヘッドが、長手方向及び短手方向を含む平面方向と、厚さ方向とを備えている板状の形状を有するとともに、上記長手方向の両端に配置された、第１長手側面及び第２長手側面を備えており、上記清掃ヘッドが、第１長手側面に、上記長手方向に突出する突起部を備えていることを特徴とする清掃具を見出した。
【発明の効果】
【０００６】
本開示の清掃具は、隅部の清掃性に優れる。
【図面の簡単な説明】
【０００７】
【図１】図１は、第（Ａ−１）実施形態に従う清掃具１を説明するための図である。
【図２】図２は、第（Ａ−１）実施形態に従う清掃具１を説明するための図である。
【図３】図３は、第（Ａ−１）実施形態に従う清掃具１を説明するための図である。
【図４】図４は、第（Ａ−２）実施形態に従う清掃具１を説明するための図である。
【図５】図５は、第（Ａ−２）実施形態に従う清掃具１を説明するための図である。
【図６】図６は、第（Ａ−３）実施形態に従う清掃具１を説明するための図である。
【図７】図７は、第（Ａ−３）実施形態に従う清掃具１を説明するための図である。
【図８】図８は、第（Ｂ−１）実施形態に従う清掃ヘッド１０１を説明するための図である。
【図９】図９は、第（Ｂ−１）実施形態に従う清掃ヘッド１０１を説明するための図である。
【図１０】図１０は、第（Ｂ−１）実施形態に従う清掃ヘッド１０１を説明するための図である。
【図１１】図１１は、第（Ｂ−２）実施形態に従う清掃ヘッド１０１を説明するための図である。
【図１２】図１２は、第（Ｃ−１）実施形態に従う清掃ヘッド２０１を説明するための図である。
【図１３】図１３は、第（Ｃ−１）実施形態に従う清掃ヘッド２０１を説明するための図である。
【図１４】図１４は、第（Ｃ−１）実施形態に従う清掃ヘッド２０１を説明するための図である。
【図１５】図１５は、第（Ｃ−１）実施形態に従う清掃ヘッド２０１を説明するための図である。
【発明を実施するための形態】
【０００８】
［定義］
・対象物に関する「所定の方向に沿う」
本明細書では、対象物に関して「所定の方向に沿う」とは、対象物が、所定の方向（例えば、長手方向、平面方向等）と直交する直交方向よりも、所定の方向に近い方向に延びていることを意味し、そして具体的には、対象物が、所定の方向と、好ましくは４５°未満、より好ましくは３０°以下、さらに好ましくは２０°以下、そしてさらにいっそう好ましくは５°以下の交差角を有するように延びていることを意味する。
なお、本明細書では、交差角が５°以下である場合に、「所定の方向と平行」と称する場合がある。
【０００９】
・「狭空間」及び「隅部」
本明細書では、狭い空間を「狭空間」と称する場合がある。
また、本明細書では、異なる方向に延在する２つの平面が交差する部分を「隅部」と称する場合がある。
上記狭空間又は隅部を構成する被清掃面としては、例えば、壁、床面、家具の頂面、側面及び底面、電化製品の頂面、側面及び底面等が挙げられる。
【００１０】
具体的には、本開示は、以下の態様Ａ群に関する。
［態様Ａ１］
清掃ヘッドと、上記清掃ヘッドに回転可能に連結されているヘッド回転部材とを備えている清掃具であって、
上記清掃ヘッドが、長手方向及び短手方向を含む平面方向と、厚さ方向とを備えている板状の形状を有するとともに、上記長手方向の両端に配置された、第１長手側面及び第２長手側面を備えており、
上記清掃ヘッドが、第１長手側面に、上記長手方向に突出する突起部を備えている、
ことを特徴とする、上記清掃具。
【００１１】
上記清掃具は、所定の突起部を備えているため、隅部の清掃性に優れる。
【００１２】
［態様Ａ２］
上記清掃ヘッドが、第１長手側面の上記短手方向の両端に上記突起部を備えている、態様Ａ１に記載の清掃具。
【００１３】
上記清掃具は、突起部を短手方向の両端に備えているので、隅部の清掃性に優れる。
【００１４】
［態様Ａ３］
上記突起部が、上記短手方向に突出していない、態様Ａ１又はＡ２に記載の清掃具。
【００１５】
上記清掃具では、突起部が短手方向に突出していないので、突起部が、清掃ヘッドの短手方向の両端に配置された短手側面を用いて清掃することを阻害しにくい。
【００１６】
［態様Ａ４］
上記清掃ヘッドが、上記長手方向に沿う方向に延びているヘッド回転軸を備えている、開口部を有するヘッド回転部材連結部を備えており、上記ヘッド回転部材が、上記開口部を介して上記ヘッド回転部材連結部に回転可能に連結されており、上記ヘッド回転部材連結部の上記開口部が、第１長手側面に配置されていない、態様Ａ１〜Ａ３のいずれか一項に記載の清掃具。
【００１７】
上記清掃具では、ヘッド回転部材連結部の開口部が、第１長手側面に配置されていないので、第１長手側面に配置された突起部が、ヘッド回転部材と接触しにくく、清掃ヘッドの回転が阻害されにくい。
【００１８】
［態様Ａ５］
上記清掃ヘッドが、上記長手方向に沿う方向に延びているヘッド回転軸を備えている、開口部を有するヘッド回転部材連結部を備えており、上記開口部が、第２長手側面に配置されている、態様Ａ１〜Ａ４のいずれか一項に記載の清掃具。
【００１９】
上記清掃具では、ヘッド回転部材連結部の開口部が、第２長手側面に配置されているので、第１長手側面に配置された突起部が、ヘッド回転部材と接触しにくく、清掃ヘッドの回転が阻害されにくい。
【００２０】
［態様Ａ６］
第２長手側面が、上記短手方向において、上記ヘッド回転軸により、第２長手側面第１部分と、第２長手側面第２部分とに区画されており、第２長手側面第１部分が、上記長手方向に突出する追加の突起部を備えており、
上記追加の突起部が、上記ヘッド回転部材よりも上記長手方向の外方に突出している、
態様Ａ５に記載の清掃具。
【００２１】
上記清掃具では、追加の突起部が、ヘッド回転部材よりも長手方向の外方に突出しているので、追加の突起部が、隅部の清掃性に優れるとともに、追加の突起部が、ヘッド回転部材が隅部、例えば、壁面に接触することを抑制することができる。
【００２２】
［態様Ａ７］
上記追加の突起部が、上記短手方向に突出していない、態様Ａ６に記載の清掃具。
【００２３】
上記清掃具では、追加の突起部が短手方向に突出していないので、清掃ヘッドの短手方向の両端に配置された短手側面を用いた清掃が阻害されにくい。
【００２４】
［態様Ａ８］
第２長手側面第２部分が、突起部を備えていない、態様Ａ６又はＡ７に記載の清掃具。
【００２５】
上記清掃具では、第２長手側面第２部分が、突起部を備えていないので、第２長手側面第２部分が、第２長手側面の開口部に連結されているヘッド回転部材と接触しにくくなり、清掃ヘッドの回転角度を大きくさせやすくなる。
【００２６】
また、本開示は、以下の態様Ｂ群に関する。
［態様Ｂ１］
ヘッド回転部材連結部を備える清掃ヘッドと、上記ヘッド回転部材連結部に連結されるヘッド回転部材と、上記ヘッド回転部材に連結される清掃具用柄とを備える清掃具用の清掃ヘッドであって、
上記清掃ヘッドが、第１清掃面及び第２清掃面を有する板状の形状を有し、
上記清掃ヘッドが、使い捨て可能なように構成されている、
ことを特徴とする、上記清掃ヘッド。
【００２７】
清掃シートを取り付けて用いられる清掃ヘッド、並びに当該清掃ヘッドを備える清掃具が知られている。上記清掃具では、清掃の都度、又は清掃シートが汚れた場合に、清掃シートを交換することができ、衛生的に清掃することができるものである。
一方、清掃具を使用するにつれ、例えば、汚れの多い被清掃面を清掃した場合には、汚れが清掃シートを貫通し、清掃ヘッドに付着することがある。従って、清掃具を使用するにつれ、清掃ヘッドが汚れる傾向にあり、清掃ヘッドを洗浄する必要性が生じる場合があった。
上記清掃ヘッドは、使い捨て可能なように構成されていることから、清掃ヘッドの汚れ具合に応じて、清掃ヘッドを交換することができるので、衛生的に清掃することができる。
【００２８】
［態様Ｂ２］
上記ヘッド回転部材が、使い捨て可能なように構成されている、態様Ｂ１に記載の清掃ヘッド。
【００２９】
上記清掃ヘッドでは、ヘッド回転部材が使い捨て可能なように構成されていることから、ヘッド回転部材の汚れ具合に応じて、ヘッド回転部材を交換することができるので、衛生的に清掃することができる。
【００３０】
［態様Ｂ３］
上記清掃ヘッド及びヘッド回転部材が、一体化されている、態様Ｂ２に記載の清掃ヘッド。
【００３１】
上記清掃ヘッドでは、清掃ヘッド及びヘッド回転部材が一体化されているので、清掃ヘッド及びヘッド回転部材を一度に交換することができる。
【００３２】
［態様Ｂ４］
上記清掃ヘッドの素材が、紙、発泡スチロール、プラスチック及び木材、並びにそれらの任意の組み合わせからなる群から選択される、態様Ｂ１〜Ｂ３のいずれか一項に記載の清掃ヘッド。
【００３３】
上記清掃ヘッドは、所定の素材から構成されているので、軽く、清掃性に優れる。
【００３４】
［態様Ｂ５］
上記清掃ヘッドが、清掃シートを取り付けて用いられるように構成されている、態様Ｂ１〜Ｂ４のいずれか一項に記載の清掃ヘッド。
【００３５】
上記清掃ヘッドは、清掃シートを取り付けて用いられるように構成されているので、清掃ヘッドが、その交換時期に到来するまで、例えば、清掃ヘッドが汚れるまで清掃シートを交換して清掃ヘッドを使用することにより、清掃ヘッドを複数回使用することができる。
【００３６】
［態様Ｂ６］
上記清掃ヘッドが、上記清掃シートを取り付けるための清掃シート取付部として、両面テープ、接着剤、面ファスナー、メカニカルロック、及びそれらの任意の組み合わせからなる群から選択されるものを備えている、態様Ｂ５に記載の清掃ヘッド。
【００３７】
上記清掃ヘッドは、所定の清掃シート取付部を備えているので、清掃シートを簡易に取り付けることができる。
【００３８】
また、本開示は、以下の態様Ｃ群に関する。
［態様Ｃ１］
清掃ヘッドと、上記清掃ヘッドに回転可能に連結されているヘッド回転部材とを備えている清掃具用の清掃ヘッドであって、
上記清掃ヘッドが、第１清掃面及び第２清掃面を有する板状の形状を有し、長手方向及び短手方向を含む平面方向と、厚さ方向とを有するとともに、上記長手方向に沿う方向に延びているヘッド回転軸を備えているヘッド回転部材連結部を備えており、
第１清掃面及び第２清掃面が、軟質部材から構成されている、
ことを特徴とする、上記清掃ヘッド。
【００３９】
上記清掃ヘッドでは、第１清掃面及び第２清掃面が軟質部材から構成されているので、清掃ヘッドが、被清掃面、特に狭空間の被清掃面を傷つけにくい。
【００４０】
［態様Ｃ２］
上記清掃ヘッドの、上記短手方向の両端が、上記軟質部材から構成されている、態様Ｃ１に記載の清掃ヘッド。
【００４１】
上記清掃ヘッドは、その短手方向の両端が軟質部材から構成されているので、清掃ヘッドが、隅部を傷つけにくい。
【００４２】
［態様Ｃ３］
上記清掃ヘッドが、上記ヘッド回転部材連結部を除いて、軟質部材から構成されている、態様Ｃ１に記載の清掃ヘッド。
【００４３】
上記清掃ヘッドは、ヘッド回転部材連結部を除いて、軟質部材から構成されているので、清掃ヘッドが、変形しながら狭空間に入り込むことができるとともに、清掃ヘッドが被清掃面を傷つけにくい。
【００４４】
［態様Ｃ４］
上記清掃ヘッドが、清掃シートを保持可能であるように構成されており、上記清掃ヘッドが、上記清掃シートの一方の端部及び他方の端部の少なくとも一方を挟持する挟持部であって、展開形態及び閉鎖形態をとることができるように構成されたものを備えている、態様Ｃ１〜Ｃ３のいずれか一項に記載の清掃ヘッド。
【００４５】
上記清掃ヘッドは、所定の挟持部を備えているので、清掃シートを保持する部分が、清掃ヘッドの外面に配置されている清掃ヘッドと比較して、清掃ヘッドが被清掃面を傷つけにくい。
【００４６】
［態様Ａ群］
本開示の清掃具について、以下、詳細に説明する。
図１〜図３は、本開示の実施形態（以下、「第（Ａ−１）実施形態」と称する）に従う清掃具１を説明するための図である。具体的には、図１は、清掃具１の斜視図である。図２は、清掃具１の清掃ヘッド３部分の拡大図である。図３は、清掃シート９１を取り付けた状態における清掃ヘッド３部分の拡大図である。
【００４７】
第（Ａ−１）実施形態に従う清掃具１は、ヘッド回転部材連結部５を備えている清掃ヘッド３と、ヘッド回転部材連結部５に連結されている（具体的には、挿入されている）ヘッド回転部材７と、柄本体部１１及び柄回転部材１３を備えている清掃具用柄９とを備えている。
清掃ヘッド３は、長手方向Ｌ及び短手方向Ｓを含む平面方向Ｐと、厚さ方向Ｔとを備えている板状の形状を有し、第１清掃面ＣＳ1と、第２清掃面ＣＳ2とを有している。
【００４８】
清掃ヘッド３は、長手方向Ｌの両端に配置された第１長手側面１５及び第２長手側面１７と、短手方向Ｓの両端に配置された第１短手側面１９及び第２短手側面２１とを有している。ヘッド回転部材連結部５は、その両端に第１開口部２３及び第２開口部２５を備えているとともに、長手方向Ｌと平行であるヘッド回転軸ＨＡを備えている。
【００４９】
ヘッド回転部材連結部５の第１開口部２３及び第２開口部２５は、それぞれ、第１長手側面１５及び第２長手側面１７に配置されている。なお、第１長手側面１５は、ヘッド回転軸ＨＡ（正確には、ヘッド回転軸ＨＡ及び厚さ方向Ｔにより画定される平面）を境界として、第１短手側面１９よりの第１長手側面第１部分１６ａと、第２短手側面２１よりの第１長手側面第２部分１６ｂとに区画される。また、第２長手側面１７は、ヘッド回転軸ＨＡ（正確には、ヘッド回転軸ＨＡ及び厚さ方向Ｔにより画定される平面）を境界として、第１短手側面１９よりの第２長手側面第１部分１８ａと、第２短手側面２１よりの第２長手側面第２部分１８ｂとに区画される。
清掃ヘッド３は、第１清掃面ＣＳ1に、清掃シート９１を清掃ヘッド３に固定するための、２つの清掃シート取付部８１（具体的には、スリット部）を所有している。
【００５０】
ヘッド回転部材７は、円柱状の棒状部材を、矩形に折り曲げ、連結することにより形成されている。ヘッド回転部材７は、第１長手側面１５の第１開口部２３と、第２長手側面１７の第２開口部２５とを介して、ヘッド回転部材連結部５に回転可能に連結されており、それにより、清掃ヘッド３が、ヘッド回転軸ＨＡを中心に回転することができる。
【００５１】
清掃具用柄９の柄回転部材１３は、柄本体部１１を、ヘッド回転部材７に対して回転可能にするための部材であり、ヘッド回転部材７に回転可能に連結されている。
具体的には、柄回転部材１３は、第１部材１３ａと、第２部材１３ｂと、連結部材１３ｃ（具体的には、リベット）とから構成されている。第１部材１３ａは、ヘッド回転部材７の円柱状部分の周面を覆っている。第２部材１３ｂは、連結部材１３ｃを介して第１部材１３ａに連結されているとともに、連結部材１３ｃを中心に、ヘッド回転部材７に近づくように回転可能である。ヘッド回転部材７及び柄回転部材１３のそれぞれの構造は公知であるため、説明を省略する。
【００５２】
清掃具用柄９の柄本体部１１は、柄回転部材１３に連結されている第１柄部分３１と、第２柄部分３３と、第３柄部分３５と、把持部３９を備える第４柄部分３７とを順に備えている。
【００５３】
清掃具用柄９は、柄回転部材１３と、第１柄部分３１とを連結及び開放するための押込部４１を備えている。押込部４１は、清掃具用柄９の軸線ＡＬと交差する方向、具体的には、軸線ＡＬと直交する方向に突出している。より具体的には、押込部４１は、清掃具用柄９を短手方向Ｓと平行になるように倒した際に、平面方向Ｐ、具体的には、長手方向Ｌと平行に突出するように配置されている。それにより、狭空間を清掃する際に、押込部４１が、狭空間の天面部及び底面部に接触しにくくなる。
なお、押込部４１の構造自体は公知であることから、説明を省略する。
【００５４】
また、柄本体部１１は、第１柄部分３１及び第２柄部分３３を連結及び開放するための本体第１押込部４３と、第２柄部分３３及び第３柄部分３５を連結及び開放するための本体第２押込部４５と、第３柄部分３５及び第４柄部分３７を連結及び開放するための本体第３押込部４７とを備えている。
【００５５】
本体第１押込部４３〜本体第３押込部４７のそれぞれは、押込部４１と同様に、清掃具用柄９を短手方向Ｓと平行になるように倒した際に、平面方向Ｐ、具体的には、長手方向Ｌと平行に突出するように配置されている。それにより、狭空間を清掃する際に、本体第１押込部４３〜本体第３押込部４７のそれぞれが、狭空間の天面部及び底面部に接触しにくくなる。
【００５６】
第（Ａ−１）実施形態に従う清掃具１では、清掃ヘッド３が、第１長手側面１５の第１長手側面第１部分１６ａ（具体的には、第１長手側面第１部分１６ａの第１短手側面１９より）に配置された第１突起部５１と、第２長手側面１７の第２長手側面第１部分１８ａ（具体的には、第２長手側面第１部分１８ａの第１短手側面１９より）に配置された第２突起部５３とを備えている。第１突起部５１及び第２突起部５３は、それぞれ、第１長手側面１５（第１長手側面第１部分１６ａ）及び第２長手側面１７（第２長手側面第１部分１８ａ）から、長手方向Ｌに突出している。
【００５７】
また、第１突起部５１及び第２突起部５３のそれぞれは、ヘッド回転部材７（より正確には、ヘッド回転部材７のうち、第１開口部２３及び第２開口部２５に隣接する部分）よりも長手方向Ｌの外方に突出している。それにより、第１突起部５１及び第２突起部５３のそれぞれが、清掃性に優れるとともに、ヘッド回転部材７（より正確には、ヘッド回転部材７のうち、第１開口部２３及び第２開口部２５に隣接する部分）を隅部に接触させにくくなる。
【００５８】
また、第１突起部５１及び第２突起部５３のそれぞれは、第１短手側面１９よりも短手方向Ｓの外方に突出していない。それにより、第１突起部５１及び第２突起部５３のそれぞれが、第１短手側面１９を用いた隅部の清掃を阻害しにくい。
【００５９】
第（Ａ−１）実施形態に従う清掃具１の清掃ヘッド３では、第１長手側面第２部分１６ｂに突起部が配置されておらず、そして第２長手側面第２部分１８ｂに突起部が配置されていない。それにより、第１長手側面第２部分１６ｂ及び第２長手側面第２部分１８ｂが、ヘッド回転部材７に接触せず、清掃ヘッド３が、約３６０°まで回転することができる。
【００６０】
清掃具１は、以下の通り使用することができる。
例えば、清掃ヘッド３を、第２清掃面ＣＳ2を下に向けて、第１突起部５１及び第２突起部５３が清掃シート９１の上に位置するように、清掃シート９１の中央部分の上に配置する。次いで、清掃シート９１の両端部分を、清掃ヘッド３の第１清掃面ＣＳ1に重ね、清掃シート９１の両端部分を、２つの清掃シート取付部８１に固定する。
【００６１】
床面の隅部、例えば、お互いに直交する２つの壁面及び床面により構成される隅部分を清掃する際には、第１突起部５１又は第２突起部５３を用いて、上記隅部分を清掃することができる。清掃具１では、第１突起部５１及び第２突起部５３のそれぞれが、ヘッド回転部材７よりも長手方向Ｌの外方に突出しているので、第１突起部５１及び第２突起部５３のそれぞれが、ヘッド回転部材７が２つの壁面に接触することを抑制しながら、上記隅部分を清掃することができる。
なお、清掃具１が、第１突起部５１又は第２突起部５３を有しない場合には、ヘッド回転部材７が２つの壁面のいずれかに接触し、清掃ヘッド３が、上記隅部分に到達しにくくなる。
【００６２】
また、清掃面を交換する（第２清掃面ＣＳ2から第１清掃面ＣＳ1に変更する）場合には、清掃ヘッド３を、第１長手側面１５が下を向き且つ第２長手側面１７が上を向くように回転させることにより、第１突起部５１又は第２突起部５３が、ヘッド回転部材７と接触することを避けることができる。
【００６３】
図４及び図５は、本開示の別の実施形態（以下、「第（Ａ−２）実施形態」と称する）に従う清掃具１を説明するための図である。具体的には、図４は、清掃具１の清掃ヘッド３部分の拡大図である。図５は、清掃シート９１を取り付けた状態における清掃ヘッド３部分の拡大図である。図４及び図５は、それぞれ、第（Ａ−１）実施形態における図２及び図３に相当する。
第（Ａ−２）実施形態に従う清掃具１は、第（Ａ−１）実施形態に従う清掃具１と類似の構造を有することから、第（Ａ−１）実施形態に従う清掃具１と異なる点を中心に説明する。
【００６４】
第（Ａ−２）実施形態に従う清掃具１では、清掃ヘッド３が、長手方向Ｌの両端に配置された第１長手側面１５及び第２長手側面１７と、短手方向Ｓの両端に配置された第１短手側面１９及び第２短手側面２１とを有している。また、清掃ヘッド３は、第２長手側面１７に単一の開口部６３を備えているとともに、長手方向Ｌと平行であるヘッド回転軸ＨＡを備えているヘッド回転部材連結部６１を有している。なお、ヘッド回転部材連結部６１は、第１長手側面１５、第１短手側面１９及び第２短手側面２１に開口部を有していない。
【００６５】
第１長手側面１５は、ヘッド回転軸ＨＡ（正確には、ヘッド回転軸ＨＡ及び厚さ方向Ｔにより画定される平面）を境界として、第１短手側面１９よりの第１長手側面第１部分１６ａと、第２短手側面２１よりの第１長手側面第２部分１６ｂとに区画される。また、第２長手側面１７は、ヘッド回転軸ＨＡ（正確には、ヘッド回転軸ＨＡ及び厚さ方向Ｔにより画定される平面）を境界として、第１短手側面１９よりの第２長手側面第１部分１８ａと、第２短手側面２１よりの第２長手側面第２部分１８ｂとに区画される。
【００６６】
ヘッド回転部材７は、円柱状の棒状部材を、Ｕ字型に折り曲げることにより形成されている。ヘッド回転部材７は、第２長手側面１７の開口部６３を介してヘッド回転部材連結部６１に回転可能に連結されており、それにより、清掃ヘッド３が、ヘッド回転軸ＨＡを中心に回転することができる。
【００６７】
第２実施形態に従う清掃具１では、清掃ヘッド３が、第１長手側面１５の第１長手側面第１部分１６ａ（具体的には、第１長手側面第１部分１６ａの第１短手側面１９より）に配置された第１突起部６５と、第１長手側面１５の第１長手側面第２部分１６ｂ（具体的には、第１長手側面第２部分１６ｂの第２短手側面２１より）に配置された第２突起部６７と、第２長手側面１７の第２長手側面第１部分１８ａ（具体的には、第２長手側面第１部分１８ａの第１短手側面１９より）に配置された第３突起部６９とを備えている。
なお、第２長手側面１７の第２長手側面第２部分１８ｂに、突起部は配置されていない。
【００６８】
第１突起部６５及び第３突起部６９は、それぞれ、第（Ａ−１）実施形態に従う清掃具１における第１突起部５１及び第２突起部５３と同様であるため、説明を省略する。第２突起部６７は、第１長手側面１５（第１長手側面第２部分１６ｂ）から、長手方向Ｌに突出している。また、第２突起部６７は、第２短手側面２１よりも短手方向Ｓの外方に突出していない。
【００６９】
第（Ａ−２）実施形態に従う清掃具１は、第（Ａ−１）実施形態に従う清掃具と同様に用いることができ、同様の効果を有する。
【００７０】
図６及び図７は、本開示の別の実施形態（以下、「第（Ａ−３）実施形態」と称する）に従う清掃具１を説明するための図である。具体的には、図６は、清掃具１の清掃ヘッド３部分の拡大図である。図７は、清掃シート９１を取り付けた状態における清掃ヘッド３部分の拡大図である。
【００７１】
第（Ａ−３）実施形態に従う清掃具１は、ヘッド回転部材連結部５を備えている清掃ヘッド３と、ヘッド回転部材連結部５に連結されているヘッド回転部材７と、柄本体部（図示せず）及び柄回転部材１３を備える清掃具用柄９とを備えている。
【００７２】
清掃ヘッド３は、長手方向Ｌ及び短手方向Ｓを含む平面方向Ｐと、厚さ方向Ｔとを備えている板状の形状を有し、第１清掃面ＣＳ1と、第２清掃面ＣＳ2とを有している。清掃ヘッド３は、後述の第１短手側面１９に配置された、清掃シート９１を清掃ヘッド３に固定するための、２つの清掃シート取付部８１（具体的には、スリット部）と、後述の第２短手側面２１に配置された、清掃シート９１を清掃ヘッドに固定するための、２つの清掃シート取付部８１（具体的には、スリット部）とを所有している。
【００７３】
清掃ヘッド３は、清掃ヘッドの３の中央に、短手方向Ｓに延びているとともに、ヘッド回転部材７及び清掃具用柄９を収納可能な切欠部７１を有しており、切欠部７１に、ヘッド回転部材連結部５を備えている。第（Ａ−３）実施形態に従う清掃具１では、清掃具用柄９を切欠部７１に通すことにより、第１清掃面ＣＳ1と、第２清掃面ＣＳ2との切り替えを行うことができる。
【００７４】
清掃ヘッド３は、長手方向Ｌの両端に配置された第１長手側面１５及び第２長手側面１７と、短手方向Ｓの両端に配置された第１短手側面１９及び第２短手側面２１とを有している。ヘッド回転部材連結部５は、長手方向Ｌと平行であるヘッド回転軸ＨＡを備えている。第１長手側面１５は、ヘッド回転軸ＨＡ（正確には、ヘッド回転軸ＨＡ及び厚さ方向Ｔにより画定される平面）を境界として、第１短手側面１９よりの第１長手側面第１部分１６ａと、第２短手側面２１よりの第１長手側面第２部分１６ｂとに区画される。また、第２長手側面１７は、ヘッド回転軸ＨＡ（正確には、ヘッド回転軸ＨＡ及び厚さ方向Ｔにより画定される平面）を境界として、第１短手側面１９よりの第２長手側面第１部分１８ａと、第２短手側面２１よりの第２長手側面第２部分１８ｂとに区画される。
【００７５】
清掃ヘッド３は、第１長手側面第１部分１６ａ、第１長手側面第２部分１６ｂ、第２長手側面第１部分１８ａ及び第２長手側面第２部分１８ｂに、それぞれ、長手方向Ｌに突出する、第１突起部７３、第２突起部７５、第３突起部７７及び第４突起部７９を備えている。第１突起部７３〜第４突起部７９を備えることにより、清掃具１が、隅部の清掃性に優れる。
【００７６】
清掃具１は、以下の通り使用することができる。
例えば、清掃ヘッド３を、第２清掃面ＣＳ2を下に向けて、第１突起部７３〜第４突起部７９が清掃シート９１の上に位置するように、清掃シート９１の上に配置する。次いで、清掃シート９１の一方の端部を、第１短手側面１９に配置された２つの清掃シート取付部８１に固定し、清掃シート９１の他方の端部を、第２短手側面２１に配置された２つの清掃シート取付部８１に固定する。
【００７７】
清掃面を切替える場合には、清掃シート９１の一方の端部を、第１短手側面１９に配置された２つの清掃シート取付部８１から外し、清掃ヘッド３を、第２清掃面ＣＳ2が上を向くように且つ第１清掃面ＣＳ1が下を向くように、ヘッド回転部材７及び清掃具用柄９を切欠部７１に通して、清掃面を切替える。次いで、清掃シートの一方の端部を、再度、第１短手側面１９に配置された２つの清掃シート取付部８１に固定する。なお、この状態では、清掃シート９１は、第１清掃面ＣＳ1を覆っている。第（Ａ−３）実施形態に従う清掃具１は、第（Ａ−１）実施形態に従う清掃具と同様の効果を有する。
【００７８】
本開示の清掃具は、清掃ヘッドと、上記清掃ヘッドに回転可能に連結されているヘッド回転部材とを備えているものであれば、特に制限されない。
本開示の清掃具では、上記清掃ヘッドは、長手方向及び短手方向を含む平面方向と、厚さ方向とを備えている板状の形状を有するとともに、長手方向の両端に配置された、第１長手側面及び第２長手側面を備えている。上記清掃ヘッドは、一方の面を清掃面とするものであってもよく、そして両方の面を清掃面とするものであってもよい。
【００７９】
上記ヘッド回転部材は、清掃ヘッドを回転させることができるものであれば、特に制限されず、清掃ヘッドの任意の位置、例えば、側面（例えば、第１長手側面、第２長手側面、短手方向の両端に配置された側面、すなわち、第１短手側面、第２短手側面等）、清掃ヘッドの一方の面又は他方の面、板状の形状の切欠部等に配置されうる。
上記ヘッド回転部材の形状は、特に制限されず、清掃ヘッドの回転の軸であるヘッド回転軸を有することが好ましい。
【００８０】
上記清掃具は、清掃具用柄を備えることができ、その場合に、清掃ヘッドと、清掃具用柄とは、ヘッド回転部材を介して、連結されたままであるものであっても、そして連結及び開放可能なものであってもよい。また、清掃ヘッド及び清掃具用柄がヘッド回転部材を介して連結及び開放可能なものである場合に、清掃ヘッド、ヘッド回転部材及び清掃具用柄は、任意の箇所、例えば、（ｉ）清掃ヘッドのヘッド回転部材連結部と、ヘッド回転部材との間、（ｉｉ）ヘッド回転部材と、清掃具用柄の柄回転部との間、（ｉｉｉ）清掃具用柄の柄回転部と、清掃具用柄の柄本体部との間、（ｉｖ）清掃具用柄の柄本体部の間等において連結及び開放可能であることができる。
【００８１】
本開示の清掃具では、清掃ヘッドは、第１長手側面に、長手方向に突出する突起部を備えている。
上記突起部は、長手方向に突出していれば、その長さは、特に制限されないが、本開示の清掃具が、ヘッド回転部材連結部の開口部を第１長手側面に備えている場合には、上記突起部は、ヘッド回転部材（より正確には、ヘッド回転部材のうち、開口部に隣接する部分）より、長手方向の外方に突出していることが好ましい。それにより、ヘッド回転部材が、上記突起部による清掃を阻害しにくくなる。
上記突起部は、短手方向に突出していないことが好ましい。それにより、上記突起部が、清掃ヘッドの短手方向の両端に配置された短手側面を用いて清掃することを阻害しにくくなる。
【００８２】
上記突起部は、清掃性の観点から、第１長手側面の短手方向の端部に配置されていることが好ましい。
上記突起部は、第１長手側面に、複数個配置されてもよく、例えば、第１長手側面の短手方向の両端に配置されることができる。
【００８３】
本開示の清掃具において、清掃ヘッドは、ヘッド回転部材と連結するためのヘッド回転部材連結部を備えており、ヘッド回転部材連結部の形状は、ヘッド回転部材の形状に対応するものであれば、特に制限されない。
【００８４】
上記ヘッド回転部材連結部としては、例えば、単一の開口部を有する柱状（例えば、円柱状）の中空部を有するヘッド回転部材連結部、複数の開口部（例えば、２つの開口部）を有する柱状（例えば、円柱状）の中空部を有するヘッド回転部材連結部、柱状（例えば、円柱状）の形状を有するヘッド回転部材連結部等が挙げられる。
上記ヘッド回転部材連結部は、所定の方向に沿う方向に延びていることが好ましく、そして所定の方向と平行に延びていることがより好ましい。上記所定の方向としては、長手方向、短手方向等が挙げられる。
【００８５】
上記清掃ヘッドが単一の開口部を有するヘッド回転部材連結部を備えている場合であって、清掃ヘッドの側面が、上記単一の開口部を備えている場合には、第１長手側面は、単一の開口部を備えていないことが好ましく、第２長手側面が、単一の開口部を備えていることがより好ましい。第１長手側面に配置された上記突起部が、ヘッド回転部材と接触しにくくなり、清掃ヘッドの回転が阻害されにくくなるからである。
【００８６】
上記清掃具において、清掃ヘッドの第２長手側面が、ヘッド回転部材連結部の開口部（単一の開口部、又は複数の開口部の中の１つ）を備えている場合には、第２長手側面を、ヘッド回転軸により、第２長手側面第１部分と、第２長手側面第２部分とに区画した際に、第２長手側面第１部分が、長手方向に突出する追加の突起部を備えていることが好ましく、そしてヘッド回転部材（より正確には、ヘッド回転部材のうち、開口部に隣接する部分）よりも長手方向の外方に突出している追加の突起部を備えていることがより好ましい。それにより、追加の突起部により隅部の清掃性が向上するとともに、ヘッド回転部材（より正確には、ヘッド回転部材のうち、開口部に隣接する部分）が、隅部（例えば、壁面）に接触しにくくなる。
【００８７】
また、上述の場合に、第２長手側面第２部分は、長手方向に突出する突起部を備えていないことが好ましい。それにより、第２長手側面第２部分が、第２長手側面の開口部に連結されているヘッド回転部材と接触しにくくなり、清掃ヘッドの回転角度が大きくなりやすくなる。
【００８８】
上記追加の突起部は、短手方向に突出していないことが好ましい。それにより、清掃ヘッドの短手方向の両端に配置された短手側面を用いた清掃が阻害されにくくなる。
態様Ａ群に係る清掃具の構成部材は、他の態様群（態様Ｂ群、態様Ｃ群）に記載の清掃具の構成部材と任意に組み合わせることができる。
【００８９】
［態様Ｂ群］
図８〜図１０は、本開示の実施形態の１つ（以下、「第（Ｂ−１）実施形態」と称する）に従う清掃ヘッド１０１を説明するための図である。具体的には、図８は、第（Ｂ−１）実施形態に従う清掃ヘッド１０１の斜視図である。図９は、清掃ヘッド１０１を備える清掃具１１１を説明するための図である。図１０は、清掃ヘッド１０１に、清掃シート１５１を取り付けた状態を説明する図である。
【００９０】
図８に示されるように、第（Ｂ−１）実施形態に従う清掃ヘッド１０１は、長手方向Ｌ及び短手方向Ｓを含む平面方向Ｐと、厚さ方向Ｔとを備えている板状の形状を有するとともに、第１清掃面ＣＳ1と、第１清掃面ＣＳ1と反対側の第２清掃面ＣＳ2とを備えている。
【００９１】
清掃ヘッド１０１は、コア材としての発泡スチロールと、コア材である発泡スチロールを覆う、シェル材としての厚紙とから構成されており、使い捨て可能なように構成されている。
【００９２】
清掃ヘッド１０１は、単一の開口部１０５を備えている円柱状の中空部を有するヘッド回転部材連結部１０３を備えている。開口部１０５は、清掃ヘッド１０１の長手方向の一方の端部に配置されているとともに、ヘッド回転部材連結部１０３は、長手方向Ｌと平行に延びているヘッド回転軸ＨＡを有している。また、清掃ヘッド１０１は、第１清掃面ＣＳ1の長手方向Ｌの両端の２カ所に、スリット部から構成される清掃シート取付部１０７が配置されており、清掃ヘッド１０１が、清掃シート１５１を取り付けて用いられるように構成されている。
【００９３】
清掃具１１１は、清掃ヘッド１０１と、ヘッド回転部材１１３と、清掃具用柄１１５とから構成されており、ヘッド回転部材１１３と、清掃具用柄１１５とは、繰り返し使用されるものである。ヘッド回転部材１１３は、第（Ａ−２）実施形態に従う清掃具１のヘッド回転部材７と同様であるため、説明を省略する。清掃具用柄１１５は、第（Ａ−１）実施形態における清掃具１の清掃具用柄９と同様であるため、説明を省略する。
【００９４】
清掃具１１１を用いる際には、ヘッド回転部材１１３を、開口部１０５から、ヘッド回転部材連結部１０３に挿入し、図９に示されるように、清掃ヘッド１０１を、ヘッド回転部材１１３に回転可能に固定する。次いで、図１０に示されるように、清掃ヘッド１０１の第２清掃面ＣＳ2を、清掃シート１５１の中央に乗せ、清掃シートの両端を、第１清掃面ＣＳ1の清掃シート取付部１０７に固定し、清掃具１１１を使用することができる。
なお、清掃シート１５１は、清掃ヘッド１０１をヘッド回転部材１１３に回転可能に連結する前に、清掃ヘッド１０１に取り付けてもよい。
【００９５】
清掃ヘッド１０１は、清掃ヘッド１０１自体が汚れるまで複数回清掃シートを交換して使用した後、廃棄することができ、そして高い清浄度が求められる場合、汚れのひどい場所を清掃する場合等には、清掃ヘッド１０１を、清掃シートとともに、毎回廃棄してもよい。
【００９６】
図１１は、本開示の別の実施形態（以下、「第（Ｂ−２）実施形態」と称する）に従う清掃ヘッド１０１を説明するための図である。具体的には、図１１は、第（Ｂ−２）実施形態に従う清掃ヘッド１０１の斜視図である。
第（Ｂ−２）実施形態に従う清掃ヘッド１０１は、第（Ｂ−１）実施形態に従う清掃ヘッド１０１と同様の部分が多いため、第（Ｂ−２）実施形態に従う清掃ヘッド１０１と異なる点を中心に説明する。
【００９７】
第（Ｂ−２）実施形態に従う清掃ヘッド１０１は、ヘッド回転部材１１３を備えており、ヘッド回転部材１１３が、清掃ヘッド１０１のヘッド回転部材連結部１０３に回転可能に連結されている。
第（Ｂ−２）実施形態に従う清掃ヘッド１０１は、ヘッド回転部材１１３に、第（Ｂ−１）実施形態に従う清掃ヘッド１０１の説明における清掃具用柄１１５を連結することにより用いることができ、交換する場合には、清掃ヘッド１０１を、ヘッド回転部材１１３ごと交換する。
【００９８】
本開示の清掃ヘッドは、ヘッド回転部材連結部を備える清掃ヘッドと、ヘッド回転部材連結部に連結されるヘッド回転部材と、ヘッド回転部材に連結される清掃具用柄とを備える清掃具用の清掃ヘッドである。
本開示の清掃ヘッドは、使い捨て可能なように構成されており、ヘッド回転部材、及び清掃具用柄、並びにそれらの任意の組み合わせからからなる群から選択される部材を、清掃ヘッドに近い順から備えていることができ、そしてそれらを備えていなくともよい。すなわち、ヘッド回転部材又は清掃具用柄が、使い捨て可能なように構成されていてもよい。
【００９９】
本開示の清掃ヘッドは、第１清掃面と、第２清掃面とを備えている板状のものであれば、その構造は、特に制限されない。
本開示の清掃ヘッドは、清掃ヘッドそのものが汚れを除去するものであってよく、そして清掃シートを取り付けて汚れを除去するものであってもよい。その場合には、清掃シートは、本開示の清掃ヘッドと一体であってもよく、そして別体であってもよい。
【０１００】
本開示の清掃ヘッドの素材は、使い捨て可能なものであれば、特に制限されず、紙、発泡スチロール、プラスチック、木材、及びそれらの任意の組み合わせからなる群から選択されることができる。上記プラスチックは、生分解性を有するもの、リサイクルされたもの等であってもよい。
【０１０１】
本開示の清掃ヘッドが、清掃シートとともに使用されるものであり、清掃シートと別体である場合には、清掃ヘッドが、清掃シートを取り付けるための清掃シート取付部を備えていてもよい。上記清掃シート取付部としては、両面テープ、接着剤、面ファスナー（例えば、フック部材）、メカニカルロック（例えば、スリット部、クリップ部、フック部）、及びそれらの任意の組み合わせからなる群から選択されるものが挙げられる。
態様Ｂ群に係る清掃ヘッドの構成部材は、他の態様群（態様Ａ群、態様Ｃ群）に記載の清掃ヘッドの構成部材と任意に組み合わせることができる。
【０１０２】
［態様Ｃ群］
図１２〜図１５は、本開示の実施形態の１つ（以下、「第（Ｃ−１）実施形態」と称する）に従う清掃ヘッド２０１を説明するための図である。具体的には、図１２は、第（Ｃ−１）実施形態に従う清掃ヘッド２０１の斜視図である。図１３は、清掃ヘッド２０１を備えている清掃具２５１の斜視図である。図１４及び図１５は、清掃ヘッド２０１の使い方を説明するための図である。
【０１０３】
清掃ヘッド２０１は、第１清掃面ＣＳ1及び第２清掃面ＣＳ2を有する板状の形状を有し、長手方向Ｌ及び短手方向Ｓを含む平面方向Ｐと、厚さ方向Ｔとを有する。清掃ヘッド２０１は、単一の開口部２０５を備えている円柱状の中空部を有するヘッド回転部材連結部２０３を備えている。ヘッド回転部材連結部２０３は、長手方向Ｌと平行に延びているヘッド回転軸ＨＡを備えている。
【０１０４】
清掃具２５１は、清掃ヘッド２０１と、ヘッド回転部材２５３と、清掃具用柄２５５とから構成されている。ヘッド回転部材２５３は、第（Ａ−２）実施形態に従う清掃具１のヘッド回転部材７と同様であるため、説明を省略する。清掃具用柄２５５は、第（Ａ−１）実施形態における清掃具１の清掃具用柄９と同様であるため、説明を省略する。
ヘッド回転部材２５３は、開口部２０５から、ヘッド回転部材連結部２０３に挿入されており、清掃ヘッド２０１が、ヘッド回転部材２５３に回転可能に固定されている。
【０１０５】
清掃ヘッド２０１は、全体が軟質部材、具体的には、エチレン酢酸ビニルコポリマーから構成されている。従って、清掃ヘッド２０１が、変形しながら狭空間に入りやすく、狭空間の清掃性に優れるとともに、清掃ヘッド２０１が、被清掃面を傷つけにくい。
【０１０６】
清掃ヘッド２０１は、挟持部、具体的には、厚さ方向Ｔに積層された第１挟持部分２０７と、第２挟持部分２０９とを備えており、第１挟持部分２０７及び第２挟持部分２０９は、ヘッド回転軸ＨＡ（長手方向Ｌ）と平行に延びている挟持部回転軸ＲＡを有する回転端２１１により回転可能に連結されているとともに、ヘッド回転軸ＨＡ（長手方向Ｌ）と平行に延びている開閉端２１３により開閉可能に連結されている。
【０１０７】
挟持部（第１挟持部分２０７及び第２挟持部分２０９）は、回転端２１１の挟持部回転軸ＲＡを中心に、開閉端２１３を開閉させることにより、展開形態（図１４を参照）及び閉鎖形態（図１２を参照）をとることができる。また、第１挟持部分２０７及び第２挟持部分２０９は、それらの内面に、それぞれ、連結部２１５（具体的には、磁石）、及び連結部２１７（具体的には、磁石）を備えているため、清掃ヘッド２０１の閉鎖形態において、連結部２１５及び連結部２１７が引き合い、清掃ヘッド２０１の閉鎖形態を保持することができる。
【０１０８】
清掃ヘッド２０１（清掃具２５１）を使用する場合には、図１４に示されるように、展開形態における清掃ヘッド２０１を、清掃シート２８１の上に置き、清掃シート２８１の一方の端部２８３及び他方の端部２８５を、それぞれ、第１挟持部分２０７の内面、及び第２挟持部分２０９の内面に向かって折り畳む。
【０１０９】
次いで、挟持部（第１挟持部分２０７及び第２挟持部分２０９）を閉じ、図１５に示されるように、清掃ヘッド２０１を閉鎖形態にする。清掃シート２８１の一方の端部２８３及び他方の端部２８５は、連結部２１５及び連結部２１７の連結力（具体的には、磁力）により、挟持部（第１挟持部分２０７及び第２挟持部分２０９）の間に保持される。
【０１１０】
清掃ヘッド２０１（清掃具２５１）の使用を終えた場合には、清掃ヘッド２０１を展開状態にし、清掃シート２８１を廃棄することができる。
【０１１１】
本開示の清掃ヘッドは、清掃ヘッドと、上記清掃ヘッドに回転可能に取り付けられているヘッド回転部材とを備えている清掃具用の清掃ヘッドである。
上記清掃ヘッドは、第１清掃面及び第２清掃面を有する板状の形状を有し、長手方向及び短手方向を含む平面方向と、厚さ方向とを有するとともに、上記長手方向に沿う方向に延びているヘッド回転軸を備えているヘッド回転部材連結部を備えているものであれば、特に制限されない。
【０１１２】
上記清掃ヘッドは、第１清掃面及び第２清掃面が軟質部材から構成されることが好ましい。それにより、清掃ヘッドが、被清掃面、特に狭空間の被清掃面を傷つけにくくなる。
また、上記清掃ヘッドは、その短手方向の両端が軟質部材から構成されることが好ましい。それにより、清掃ヘッドが、隅部を傷つけにくくなる。
また、上記清掃ヘッドは、ヘッド回転部材連結部を除いて軟質部材から構成されることが好ましい。それにより、清掃ヘッドが、変形しながら狭空間に入り込むことができるとともに、狭空間の被清掃面を傷つけにくくなる。
【０１１３】
上記清掃ヘッドは、清掃シートを取り付けて用いられるものであってもよく、そして清掃シートを取り付けないで用いられるものであってもよい。
上記清掃ヘッドが、清掃シートを取り付けて用いられる場合には、上記清掃ヘッドは、その外面に、清掃シート取付部を備えていてもよい。清掃シート取付部については、上述の通りである。
【０１１４】
また、上記清掃ヘッドが、清掃シートを取り付けて用いられる場合には、上記清掃ヘッドは、清掃シートの一方の端部及び他方の端部の少なくとも一方を挟持する挟持部を備えていてもよい。上記挟持部は、展開形態及び閉鎖形態をとることができるように構成されたものであることが好ましい。
【０１１５】
上記清掃ヘッドの軟質部材としては、例えば、エチレン酢酸ビニルコポリマー（ＥＶＡ）、ポリウレタン（ＰＵ）、エラストマー、ゴム、スポンジ、各種発泡体、布帛（例えば、不織布、例えば、フェルト、織物、編物）等が挙げられ、そして上記硬質部材を構成する素材としては、例えば、ＡＢＳ樹脂、ポリオレフィン（例えば、ポリエチレン（ＰＥ）、ポリプロピレン（ＰＰ）等）、ポリエチレンテレフタラート（ＰＥＴ）、ポリアセタール（ＰＯＭ）、ポリカーボネート（ＰＣ）、ポリスチレン（ＰＳ）、ポリアミド（ＰＡ）、ポリ塩化ビニル（ＰＶＣ）、アクリル樹脂、及びそれらの複合材料、並びに金属（例えば、アルミニウム）等が挙げられる。
【０１１６】
本開示の清掃ヘッドは、ヘッド回転部材と連結するためのヘッド回転部材連結部を備えており、ヘッド回転部材連結部の形状は、ヘッド回転部材の形状に対応するものであれば、特に制限されない。
【０１１７】
上記ヘッド回転部材連結部としては、例えば、単一の開口部を有する柱状（例えば、円柱状）の中空部を有するヘッド回転部材連結部、複数の開口部（例えば、２つの開口部）を有する柱状（例えば、円柱状）の中空部を有するヘッド回転部材連結部、柱状（例えば、円柱状）の形状を有するヘッド回転部材連結部等が挙げられる。
態様Ｃ群に係る清掃ヘッドの構成部材は、他の態様群（態様Ａ群、態様Ｂ群）に記載の清掃ヘッドの構成部材と任意に組み合わせることができる。
【符号の説明】
【０１１８】
１    清掃具
３    清掃ヘッド
５    ヘッド回転部材連結部
７    ヘッド回転部材
９    清掃具用柄
１１    柄本体部
１３    柄回転部材
１３ａ    第１部材
１３ｂ    第２部材
１３ｃ    連結部材
１５    第１長手側面
１６ａ    第１長手側面第１部分
１６ｂ    第１長手側面第２部分
１７    第２長手側面
１８ａ    第２長手側面第１部分
１８ｂ    第２長手側面第２部分
１９    第１短手側面
２１    第２短手側面
２３    第１開口部
２５    第２開口部
５１    第１突起部
５３    第２突起部
Ｐ    平面方向
Ｌ    長手方向
Ｓ    短手方向
Ｔ    厚さ方向
ＣＳ1    第１清掃面
ＣＳ2    第２清掃面
ＡＬ    軸線
ＨＡ    ヘッド回転軸
ＲＡ    挟持部回転軸
【図１】
2020185345.tif 000003
【図２】
2020185345.tif 000004
【図３】
2020185345.tif 000005
【図４】
2020185345.tif 000006
【図５】
2020185345.tif 000007
【図６】
2020185345.tif 000008
【図７】
2020185345.tif 000009
【図８】
2020185345.tif 000010
【図９】
2020185345.tif 000011
【図１０】
2020185345.tif 000012
【図１１】
2020185345.tif 000013
【図１２】
2020185345.tif 000014
【図１３】
2020185345.tif 000015
【図１４】
2020185345.tif 000016
【図１５】
2020185345.tif 000017